(57)【要約】【課題】製造コストの低減を図りながら、ランプの確実な保持、および優れたディスプレイ効果を奏することができるランプ収納容器を提供する。【解決手段】ランプ収納容器１０の上面１１には、２つの口金用窓部１１１、１１２が互いに間隔をあけて設けられている。口金用窓部１１１と口金用窓部１１２とのピッチは、電球２１、２２を収納した際に管球どうしの間に４ｍｍ以上の隙間が残るように設定されている。また、ランプ収納容器１０における側面側の周壁には、電球２１、２２における管球の一部領域２１ｂ、２２ｂを容器外方に突出させるための管球用窓部１２１、１２２が設けられている。２つの管球用窓部１２１、１２２のピッチについても、上記口金用窓部１１１、１１２のピッチと同じに設定されている。【選択図】      図１
2004175411.tif 000002
【特許請求の範囲】
【請求項１】
ランプを収納し保持するためのランプ収納容器であって、
シート材が前記ランプの周りに被着され、
当該シート材には、前記ランプにおける管球の一部領域に対応して管球用窓部が設けられ、
前記一部領域は、前記管球用窓部を臨むシート材の内周面側の縁端よりも外方に突出される
ことを特徴とするランプ収納容器。
【請求項２】
前記一部領域は、前記管球用窓部を臨むシート材の外周面側の縁端よりも外方に突出される
ことを特徴とする請求項１に記載のランプ収納容器。
【請求項３】
前記ランプは、前記一端部に電力供給用の口金を備え、
前記口金は、管球用窓部と間隔をあけて設けられた口金用窓部から、外方に突出されることで保持されている
ことを特徴とする請求項１または２に記載のランプ収納容器。
【請求項４】
前記シート材は、板紙または片ダンボールまたは樹脂フィルムである
ことを特徴とする請求項１から３の何れかに記載のランプ収納容器。
【請求項５】
当該ランプ収納容器に収納可能な前記ランプの個数は、少なくとも２個であり、
前記管球用窓部は、ランプ毎に設けられている
ことを特徴とする請求項１から４の何れかに記載のランプ収納容器。
【請求項６】
前記管球用窓部は、隣り合う前記管球どうしの間に４ｍｍ以上の間隔を有する状態に形成されている
ことを特徴とする請求項５に記載のランプ収納容器。
【請求項７】
前記管球用窓部は、隣り合う前記管球どうしが接触状態となるように形成されている
ことを特徴とする請求項５に記載のランプ収納容器。
【請求項８】
前記シート材の内周面における前記管球用窓部およびその周辺にかけての部分には、光透過性のフィルムが設けられており、
前記管球に対する前記フィルムの摩擦係数が、前記シート材よりも大きい
ことを特徴とする請求項１から７の何れかに記載のランプ収納容器。
【発明の詳細な説明】
【０００１】
【発明の属する技術分野】
本発明は、ランプ収納容器に関し、特に材料コストおよび製造コストを低減するための技術に関する。
【０００２】
【従来の技術】
ランプは、球状部分を備えることから、そのままの状態では搬送あるいは保管しておくのが困難であり、一般に容器内に収納された状態で出荷される。ランプを収納するための収納容器について、図１１を用いて説明する。図１１には、収納容器の一例として、２個の電球を収納できる箱６０を示す。
【０００３】
図１１に示すように、箱６０は、洋ナシ形の電球７１、７２を収納できるように形成されており、収納部６１と蓋６２とから構成されている。そして、２個の電球７１、７２を収納部６１の内部に収納する際には、それぞれの電球７１、７２の管球どうし、あるいは管球と口金とが中でぶつかり合わないように、間に仕切り板８０が挿入されている。このように、電球７１と電球７２とは、間に仕切り板８０を介した状態で収納されるために、搬送中などに電球７１、７２どうしが接触して破損したりすることがない。
【０００４】
また、電球７１と電球７２とを箱６０に収納する際には、電球７１、７２の収納方向が上下逆方向となるようにしてある。
ところで、環境への配慮および材料コストの面から、ランプを収納するのに用いる材料の使用量を低減することが要望されている。上記従来の箱６０において、電球７１と電球７２とを上下逆方向に収納するのも一つの方策である。また、特開平１１−１３９４２３号公報には、シート材を筒状に巻回し、壁面の一部を切り起こすことにより底板とし、これにより形成された有底筒状体に電球を収納するという技術が開示されている（特許文献１）。
【０００５】
【特許文献１】
特開平１１−１３９４２３号公報
【０００６】
【発明が解決しようとする課題】
しかしながら、特許文献１のランプ収納容器では、底板の分だけ使用材料を削減することはできるものの、使用材料を僅かに低減することができるだけである。
また、上記特許文献１に開示の収納容器では、容器内で電球が動かないようにするために口金を保持する板材が、容器本体とは別部品として備えられており、材料コストを上昇させてしまう。
【０００７】
さらに、上記図１１の箱６０および上記特許文献１のランプ収納容器では、電球を収納しようとする前に予め収納容器を組み立てておくことが必要であり、その分製造コストも上昇してしまう。
本発明は、このような課題を解決するためになされたものであって、製造コストの低減を図りながら、ランプの確実な保持、および優れたディスプレイ効果を奏することができるランプ収納容器を提供することを目的とする。
【０００８】
【課題を解決するための手段】
上記目的を達成するために、本発明は、ランプを収納し保持するためのランプ収納容器であって、シート材がランプの周りに被着され、ランプにおける管球の一部領域に対応して管球用窓部をシート材に設けておき、一部領域が管球用窓部を臨むシート材の内周面側の縁端よりも外方に突出されるような構成とした。
【０００９】
このランプ収納容器は、シート材をランプの周りに被着されて構成されており、管球における一部領域が、管球用窓部を臨むシート材の内周面側の縁端よりも外方に突出されているので、別部材を用いなくても、管球用窓部を望むシート材の内周面側の縁端によってランプが確実に保持される。
また、上記ランプ収納容器は、シート材をランプ周りに被着するだけで形成されるので、従来の収納容器のようにランプを収納する前に予め組み立てを必要としない。
【００１０】
さらに、このランプ収納容器では、一部領域が、管球用窓部を臨むシート材の内周面側の縁端よりも突出されることで外部に露出されているので、販売のための展示などを行なう際に収納されたランプの品種を識別するのが容易であり、優れたディスプレイ効果を奏することができる。
従って、本発明のランプ収納容器は、使用材料の低減および組み立て工数の低減によって製造コストの低減が図れるとともに、ランプの確実な保持、および優れたディスプレイ効果を奏することができるという優位性を有する。
【００１１】
上記ランプ収納容器では、上記一部領域が、管球用窓部を臨むシート材の外周面側の縁端よりも外方に突出されるようにしておけば、容器内におけるランプの保持がより確実となる点、およびディスプレイ効果をより一層高めることができるという点から望ましい。
また、管球の一端部に電力供給用の口金が取り付けられたランプを収納する場合には、周壁における管球用窓部と間隔をあけた箇所に口金用窓部を設けておき、この口金用窓部から口金を外方に突出させることが望ましい。これによって、一部領域に加えて、口金も窓部を通して周壁より外方に突出されるので、収納されたランプは、一部領域と口金との少なくとも２点で支持されることになり、容器内におけるランプのより高い保持性が確保されることになる。
【００１２】
上記ランプ収納容器を構成するシート材としては、板紙または片ダンボールまたは樹脂フィルムを用いることができる。特に、板紙は、その材料単価が安く、材料コストの面から優位である。また、上記ランプ収納容器では、材料として片ダンボールに比べて材料自体のクッション性という点で劣る板紙を用いた場合にも、上記構成により容器内で確実にランプを保持することができる。さらに、光透過性の樹脂フィルム（例えば、ポリスチレンなど）を用いる場合には、収納されたランプの全体を容器の外部から見ることが可能となり、ディスプレイ効果が一層向上する。
【００１３】
上記ランプ収納容器に収納されるランプの個数は、１個であっても２個以上であってもよい。特に、２個以上のランプを収納する場合には、少ない使用材料および工数をもって容器内でのランプの保持性を確実とするために有効である。なお、２個以上のランプを収納しようとする場合には、ランプ毎に管球用窓部を設けておくようにすればよい。
【００１４】
上記２個以上のランプを収納する場合には、隣り合う管球と管球との間に４ｍｍ以上の間隙をあけるか、あるいは、隙間があくことがないようにするかの何れかとなるように、管球用窓部を設けておくことが、搬送時などに生じる管球の破損を防止することができることから望ましい。
本発明のランプ収納容器にあっては、周壁の内周面における管球用窓部およびその周辺にかけての部分に、光透過性のフィルムを設けておき、材料として、管球に対する摩擦係数が、シート材よりも高いものを用いておけば、容器内における管球の保持性をより確実にできるという点から望ましい。
【００１５】
【発明の実施の形態】
本発明の実施の形態に係るランプ収納容器１０について、図１〜４を用いて説明する。
（ランプ収納容器１０の構造）
図１に示すように、ランプ収納容器１０は、２個の電球２１、２２を収納するための容器であって、シート材である一枚の板紙（厚み０．１９ｍｍ〜０．５９ｍｍ）を図中のｙ軸方向を巻軸方向として電球２１、２２周りに被着したものである。ランプ収納容器１０では、図１中の電球２１、２２の裏側で重なり代１２が設けられており、その上端部で板紙の端と端とが接着されている。この重なり代１２の周壁には、電球２１、２２の使用上の注意書きや取り扱い説明などを記すことができる。
【００１６】
ランプ収納容器１０の上面１１には、２つの口金用窓部１１１、１１２が互いに間隔をあけて設けられている。口金用窓部１１１と口金用窓部１１２とのピッチは、電球２１、２２を収納した際に管球どうしの間に４ｍｍ以上の隙間が残るように設定されている。
口金用窓部１１１、１１２の縁から外方に向けては、各々２本のスリット１１１ｓが設けられている。これは、口金用窓部１１１、１１２の開口径が電球２１、２２における口金部２１ａ、２２ａの外径と略同等あるいは若干小さめに形成されており、口金部２１ａ、２２ａを各口金用窓部１１１、１１２に容易に挿入できるように設けられているものである。これについて、図４を用いてもう少し詳しく説明する。
【００１７】
図４に示すように、口金用窓部１１１に挿入される際、スリット１１１ｓ（図４では不図示。）が口金部２１ａによって拡げられる。これによって、開口径が口金部２１ａの外径と略同等あるいは若干小さめに設定された口金用窓部１１１に対して、口金部２１ａを容易に挿入することができる。そして、一旦、口金部２１ａが挿入された後は、口金用窓部１１１の開口縁端が口金部２１ａのねじの谷部分２１ａ２に嵌まり込んだ状態となる（拡大部分参照。）。ねじの谷部分２１ａ２に開口縁端が嵌まり込んだ状態では、谷部分２１ａ２の両側の山部分２１ａ１、２１ａ３によって口金部２１ａが口金用窓部１１１から容易に抜け落ちてしまうのが防止される。つまり、口金部２１ａは、口金用窓部１１１に確実に保持されることになる。
【００１８】
図１に戻って、ランプ収納容器１０における側面側の周壁には、電球２１、２２における管球部分の一部領域２１ｂ、２２ｂを周壁よりも外方に突出させるための管球用窓部１２１、１２２が設けられている。２つの管球用窓部１２１、１２２のピッチについても、上記口金用窓部１１１、１１２のピッチと同じに設定されている。
【００１９】
電球２１、２２の管球における他の領域では、その外周に沿うようにランプ収納容器１０の内周面が密着している。ただし、管球の他の領域中でも、口金部２１ａ、２２ａに近い断面直径が小さい部分では、若干管球の外周面とランプ収納容器１０の内周面との間に隙間を有している。
このような構成のランプ収納容器１０では、電球２１、２２の各々における口金部２１ａ、２２ａおよび管球の一部領域２１ｂ、２２ｂが各窓部１１１、１１２、１２１、１２２から突出され、内部で電球２１、２２が確実に保持される。
【００２０】
また、ランプ収納容器１０の周壁には、電球２１と電球２２との間に切り取り用のミシン目１４３と、この容器１０を店頭にてフック掛けする際に用いるフック用窓部１４２とが設けられている。
この内、ミシン目１４３は、容器の全周に渡って設けられており、フック用窓部１４２から容易に切り取れるようになっている。例えば、これによって、これを購入したユーザーが一方の電球２１を使用した場合に、このミシン目１４３を切り取ることによって、残りの電球２２を切り離した残りの容器に収納した状態で保存しておくことができる。これにより、ユーザーは、残っている電球２２が未使用品であることを用意に確認することができる。
【００２１】
一方、フック用窓部１４２は、周壁の一部をコの字状に切り込みを入れた折り返し部１４１を容器１０の内側に向かって折り返すことで形成されている。そして、このフック用窓部１４２は、図１の手前側周壁と同様に、奥側周壁（重なり代１２）にも設けられている（図１では、不図示。）。このフック用窓部１４２は、フック掛けすることにより、電球２１、２２が収納されたランプ収納容器１０を店頭展示する際に用いることができる。
（板紙１００の形状）
次に、上記ランプ収納容器１０を形成するのに用いられている板紙１００の形状について、図２を用いて説明する。図２は、シート状の板紙１００の正面図である。
【００２２】
図２に示すように、板紙１００は、３つの部分１１、１２、１３からなる長方形状をしており、長手方向の端から端まで２本のミシン目１４３が設けられている。
板紙１００の長手方向中央から左側部分には、ミシン目１４３とミシン目１４３との中程に２つの折り返し部１４１、１４４が設けられている。この折り返し部１４１、１４４は、板紙１００の該当部分にコの字状の切り込み１４１ｓ、１４４ｓを設けることで形成される。折り返し部１４１、１４４を折り返す際には、折り線Ｌ３、Ｌ４を軸として折り返す。
【００２３】
板紙１００には、電球２１、２２周りに被着した際にランプ収納容器１０の上面となる部分１１には、電球２１、２２の各口金部２１ａ、２２ａを突出させるための口金用窓部１１１、１１２が互いに間隔をあけて設けられている。口金用窓部１１１、１１２は、ともに口金部２１ａ、２２ａの外径と略同等あるいは若干小さめの略円形に形成されており、上述の通り縁から外方に向けてそれぞれ２本のスリット１１１ｓ、１１２ｓを有する。
【００２４】
また、板紙１００における管球に沿う部分１３には、各電球２１、２２における管球の一部領域を外方に突出させるための管球用窓部１２１、１２２が設けられている。この管球用窓部１２１、１２２は、ともに略楕円形状を有しており、電球２１、２２の管球の形状によって設定されているので、管球の一部領域２１ｂ、２２ｂを突出させた際に、管球用窓部１２１、１２２の縁部分と管球外周面との間に大きな隙間を生じないようになっている。
（電球２１、２２の収納）
次に、上記板紙１００を用いて電球２１、２２を収納する収納方法について、図３を用いて説明する。
【００２５】
図３に示すように、保持用の台など（不図示）により保持された２個の電球２１、２２に対して、各口金部２１ａ、２２ａが板紙１００に設けられた口金用窓部１１１、１１２に挿入されるように、板紙１００を電球２１、２２の上方より下ろしてくる。口金部２１ａ、２２ａが、口金用窓部１１１、１１２を通して板紙１００より上方に突出された時点で、折り線Ｌ１、Ｌ２を軸にして、板紙１００をそれぞれ山折りにする。
【００２６】
その後、電球２１、２２の各管球における一部領域２１ｂ、２２ｂを板紙１００に設けられた管球用窓部１２１、１２２から各々突出させ、板紙１００の内周面が管球に沿うように巻き込み、重なり代１２（図３では不図示。）の上端部で接着する。接着には、糊材（例えば、ホットメルトなど）を用いるが、粘着テープなどを用いて接着しても良い。
（ランプ収納容器１０の搬送形態）
次に、上記ランプ収納容器１０を搬送する際には、複数個を箱詰めして搬送することになるが、その方法について、図５、６を用いて説明する。
【００２７】
図５に示すように、複数のランプ収納容器１０を収納できる搬送ケース４０は、ダンボールからできた有底箱であり、底面から一定間隔をあけて棚板４２が設けられている。棚板４２には、ランプ収納容器１０における電球の口金部のピッチに対応して挿入穴４２ｐが複数設けられている。このような搬送ケース４０に対して、図５に示すように電球の口金部を下に向けた状態でランプ収納容器１０を下ろしてゆき、挿入穴４２ｐに口金部を挿入する。これによって、ランプ収納容器１０は、搬送ケース４０内で保持される。
【００２８】
このように搬送ケース４０内に複数のランプ収納容器を密集収納した場合の、隣り合うランプ収納容器どうしの互いの関係について図６を用いて説明する。
図６に示すように、搬送ケース４０内にランプ収納容器１０とランプ収納容器３０とが互いに接触する状態で箱詰めされている場合、ランプ収納容器１０に収納された電球２１と、ランプ収納容器３０に収納された電球２３とは、それぞれの管球どうしが接触することはない。つまり、図の拡大部分に示すように、電球２１の管球における突出部分２１ｂと、電球２３の管球との間には、ランプ収納容器３０の周壁の一部が介挿されることになり、互いの接触が防止されている。
【００２９】
ランプ収納容器３０に収納されている電球２３の管球突出部分２３ｂについても、同様に隣り合うランプ収納容器の電球の管球と接触することがない。
従って、このように搬送ケース４０内に複数のランプ収納容器を密集させて箱詰めしたとしても、搬送中に電球の管球に損傷を与えることがない。
なお、図５において、ランプ収納容器１０を誤った方向、即ち、隣り合う電球の管球どうしが擦れあうような方向にランプ収納容器を箱詰めしてしまうという事態は、次のような対策によって防止することができる。
【００３０】
上記図１において、電球２１の管軸中心からｙ軸方向における容器の端までの距離と、電球２２の管軸中心からｙ軸方向における容器の端までの距離とを異なるように形成しておけば、図５における搬送ケース４０に複数のランプ収納容器１０を箱詰めする場合にも、その方向を間違えることがない。
（ランプ収納容器１０が有する優位性）
以上のような構造を有するランプ収納容器１０は、以下のような優位性を有する。
【００３１】
先ず、ランプ収納容器１０は、口金用窓部１１１、１１２および管球用窓部１２１、１２２から、電球２１、２２のそれぞれの口金部２１ａ、２２ａおよび管球の一部領域２１ｂ、２２ｂを突設させているので、電球２１、２２が確実に保持され、外部から振動などが付加された場合にも、容器内で電球２１、２２が動くことがない。また、口金用窓部１１１、１１２および管球用窓部１２１、１２２の各ピッチが電球２１、２２の管球の間に４ｍｍ以上の隙間を生じるように設定されているので、上記振動が付加された場合にも、管球どうしがぶつかり合うことがなく、搬送中などに管球に損傷を与えることがない。
【００３２】
次に、ランプ収納容器１０は、コスト面で優位な板紙１００を電球２１、２２周りに被着するだけで形成されているので、上記図１１に示す箱６０のように電球を収納しようとする前に予め組み立てるというような工数を費やす必要がない。そして、ランプ収納容器１０は、板紙１００を用いることで十分に電球２１、２２を保持することができ、コスト面で板紙よりも高価な片ダンボールなどを用いる必要がない。これより、ランプ収納容器１０は、材料面で環境への負荷が小さく、材料コスト、製造コストなどが低い。
【００３３】
３つ目に、ランプ収納容器１０では、電球２１、２２の各々の口金部２１ａ、２２ａおよび管球の一部領域２１ｂ、２２ｂを各窓部１１１、１１２、１２１、１２２を通して外方に突出させているので、管球を容器１０の外部から容易に確認することができ、出荷時における点灯検査を容器１０に収納した後に実施することができる。また、販売店の店頭などで電球２１、２２を点灯させながら、これらをディスプレイすることができ、販促効果という面でも優れている。ユーザーも、管球用窓部１２１、１２２から突出されている管球の一部領域２１ｂ、２２ｂを目視することで、中に収納された電球２１、２２の発光色などを確認してからこれらを購入することができるので、ランプ収納容器１０は、収納電球を容易に識別可能という面からも優れているといえる。
【００３４】
４つ目として、ランプ収納容器１０における電球２１と電球２２との間に想到する部分には、ミシン目１４３が設けられているので、収納された２個の電球２１、２２の内、一方を使用した場合にも、残りの電球を容器内に収納した状態で保管しておくことができる。これより、ユーザーが使用前の電球と使用後の電球とを容易に見分けることができる。
【００３５】
５つ目としては、ランプ収納容器１０にフック用窓部１４２を設けているので、店頭で陳列する際の形態が種々選択できるという優位性を有する。
６つ目として、上記図５、６のように搬送ケース４０内に複数のランプ収納容器を密集状態で箱詰めした場合にも、隣り合う電球の管球どうしが接触することがなく、搬送中における管球の損傷の発生が防止される。
【００３６】
従って、本発明の実施の形態に係るランプ収納容器１０は、製造コストの低減を図りながら、ランプの確実な保持、および優れたディスプレイ効果を奏することができる。
（確認実験）
上記効果の内でも、重要な容器内における電球の保持性について、図７に示す装置を用いて落下衝撃実験を行ない、効果の確認を行なった。
【００３７】
図７に示すように、落下衝撃実験は、管球間の間隔Ｄを３水準で変えたランプ収納容器１０をそれぞれ２サンプルづつ用意しておき、これを高さＨ（５０ｍｍ〜７０ｍｍ）から台５００に向けて自由落下させた。そして、実験後における管球の損傷具合およびランプ収納容器１０の損傷具合を目視にて判定し、その結果を表１に示す。
【００３８】
【表１】
2004175411.tif 000003
【００３９】
先ず、表１において、「○」は、ランプ収納容器１０および収納電球２１、２２に損傷がないことを示し、「△」は、収納電球２１、２２には損傷がないものの、ランプ収納容器１０の一部が破れたことを示し、「×」は、電球２１、２２が破損したことを示している。
表１より、間隔Ｄを１ｍｍ〜３ｍｍに設定したサンプルでは、高さＨが６０ｃｍでランプ収納容器１０に破損（紙破れ）を生じ、高さＨが６５ｃｍで電球２１、２２が破損した。このため、間隙Ｄが１ｍｍ〜３ｍｍのサンプルでは、高さＨが７０ｃｍの試験を行なわなかった。
【００４０】
これに対して、間隔Ｄを４ｍｍ〜６ｍｍに設定したサンプルでは、高さＨが５０ｃｍ〜６５ｃｍの場合においても、ランプ収納容器１０に損傷が生じず、また、電球２１、２２に損傷を全く受けなかった。つまり、管球どうしの間隔を４〜６ｍｍあけた場合には、５０ｃｍ〜６５ｃｍの範囲の高さＨからの落下による衝撃を受けた場合にも電球２１、２２が容器内で動かなかったことが分かる。
【００４１】
従って、管球どうしの間隔Ｄは、４ｍｍ以上とすることが望ましいことが分かる。これに基づいて、上記発明の実施の形態においては、電球２１、２２における管球どうしの間隔を４ｍｍ以上に設定している。
なお、隣り合う管球どうしの間隔Ｄは、スペース的に許容される範囲内において、できるだけ大きくとっておくことが耐衝撃性という面から望ましい。
【００４２】
なお、表１において、間隔Ｄ＝０ｍｍ、即ち管球と管球とをはじめから接触させておいたサンプルでも、高さＨが６５ｃｍの場合にも、実験後の管球の損傷に損傷はなく、間隔Ｄを１ｍｍ〜３ｍｍに設定したサンプルよりも、衝撃からの電球の保護という面で優れている。これは、電球２１と電球２２とは、台５００との衝突により同一ベクトルの衝撃を受けることになり、最初から接触状態にある管球どうしが互いに損傷を与え合うことがないためである。つまり、スペースの面から管球どうしの間に４ｍｍ以上の間隔Ｄをあけることが困難な場合には、最初から管球どうしを接触状態としておくことが望ましい。ただし、管球用窓部１２１、１２２などの作製誤差などを十分に考慮しておくことが重要である。
（変形例１）
以下では、変形例１に係るランプ収納容器について、図８を用いて説明する。図８は、変形例１に係るランプ収納容器を構成するための板紙１５０を示す斜視図である。
【００４３】
板紙１５０は、上記ランプ収納容器１０を構成するのに用いた板紙１００と類似の構造を有している。ここでは、相違点だけを説明する。
図８に示すように、板紙１５０が上記図２の板紙１００と相違するのは、電球２１、２２の口金部２１ａ、２２ａを保持するための構成である。板紙１５０における長手方向の一端辺には、各々コの字状を有する２つの切り欠き部１５１、１５２が設けられている。この切り欠き部１５１、１５２は、ともに同一形状で形成されており、口金部２１ａ、２２ａの外径と略同一あるいは若干大きめの開口幅を有する。
【００４４】
切り欠き部１５１と切り欠き部１５２とのピッチは、上記図２における口金用窓部１１１、１１２の間のピッチに等しい。つまり、この切り欠き部１５１、１５２に電球２１、２２の口金部２１ａ、２２ａを挿入した際に、電球２１、２２における管球どうしが４ｍｍ以上の間隔をあけるように設定されている。
本変形例のランプ収納容器は、図８に示す状態のまま、板紙１５０を電球２１、２２の周りに被着させることで形成される。このとき、口金部２１ａ、２２ａは、板紙１５０によって覆われるので、上記ランプ収納容器１０のように電球２１、２２を簡易に点灯させることはできない。しかし、搬送中あるいは保管中における口金部２１ａ、２２ａの汚れ防止という面からは、優れている。
【００４５】
電球２１、２２における管球の一部領域２１ｂ、２２ｂを管球用窓部１７１、１７２を通して外方に突出されるという点は、上記ランプ収納容器１０と同様である。
なお、板紙１５０には、上記板紙１００に設けていたようなミシン目１４３や折り返し部１４１、１４４などを設けていないが、これらを設けるのに何ら制約を受けることがないのはいうまでもない。
【００４６】
また、板紙１５０を用いたランプ収納容器では、容器内に電球２１、２２を収納した状態で電球を点灯させることは困難であるが、周壁における口金部２１ａ、２２ａに対応する部分に棒状電極端子を挿入することができる小さな孔を設けておけば、上記ランプ収納容器１０と同様、点灯を可能とすることができる。
（変形例２）
上記発明の実施の形態および変形例１では、洋ナシ形の電球を収納するためのランプ収納容器について説明したが、以下では、丸型蛍光灯あるいはツイン蛍光灯を収納するためのランプ収納容器について、図９を用いて説明する。
【００４７】
図９（ａ）に示すように、ランプ収納容器５０は、上記発明の実施の形態などと同様に一枚の板紙を丸型の蛍光灯周りに被着し形成されている。ランプ収納容器５０には、上側の周壁に発光管用窓部（不図示）が形成されており、下側の周壁に口金用窓部（不図示）が形成されている。被着した状態において、ランプ収納容器５０の上面から発光管の一部領域５１ｂが発光管窓部を通して突出されているとともに、下面からは、蛍光灯のＧ口金が口金用窓部を通して突出されている。
【００４８】
このような構成を有するランプ収納容器５０も、上記ランプ収納容器１０と同様に、少ない使用材料および工数をもって、ランプの確実な保持、および優れたディスプレイ効果を奏することができる。
図９（ｂ）に示すように、ランプ収納容器５５は、所謂、ツイン蛍光灯５６を収納するための容器である。ツイン蛍光灯５６には、一端部（図中では下端部）にＧ口金を有している。
【００４９】
ランプ収納容器５５についても、一枚の板紙をツイン蛍光灯５６の周りに被着して形成されている。そして、周壁には、上側の傾斜がついた部分に発光管用窓部が設けられており、そこから発光管の一部分５６ｂが外方に突出されている。また、下側の周壁には、丸で囲んだ部分に示すように、口金用窓部（不図示）を通して、口金部５６ａが突出されている。
【００５０】
このような構成を有するランプ収納容器５５も、上記発明の実施の形態と同様、少ない使用材料および工数をもって、ランプの確実な保持、および優れたディスプレイ効果を奏することができる。
以上説明した変形例１、２からも分かるとおり、上記のような構成のランプ収納容器１０、５０、５５などの構成は、洋ナシ形をした電球を対象とするのみならず、種々の形状のランプを対象にすることができ、その場合にも、従来の収納容器よりも優れた上記効果を得ることができる。
（変形例３）
変形例３に係るランプ収納容器５７について、図１０を用いて説明する。図１０は、（ａ）が電球５８を内部に収納した状態を示す断面図であり、（ｂ）がその正面図である。
【００５１】
先ず、図１０（ａ）に示すように、ランプ収納容器５７が上記図１のランプ収納容器１０と相違する点は、管球用窓部５７１が周壁の内面側に貼付された透光性のフィルム５７ｆによって覆われている点にある。つまり、ランプ収納容器５７は、一枚の板紙からなる本体部５７ｐと、この管球用窓部５７１の内側に貼付されたフィルム５７ｆとの２つの部材から構成されている。
【００５２】
フィルム５７ｆは、電球５８における管球との間の摩擦係数が板紙よりも大きい特性を有しており、容器内部における管球の保持性を向上させる働きをする。ここで、フィルム５７ｆには、ポリプロピレン（ＰＰ）の材質のものを用いたが、他にポリエチレン（ＰＥ）やポリエチレンテレフタレート（ＰＥＴ）などの材質のものを用いることができる。
【００５３】
なお、この場合においても、管球の一部領域が容器の周壁における内面よりも突出されており、電球５８のディスプレイ性という面で優れているのは上記発明の実施の形態などと同様である。
図１０（ｂ）に示すように、フィルム５７ｆは、周壁の内面において、管球用窓部５７１からその周辺領域にかけての領域を覆うことができる大きさを有している。
【００５４】
なお、本変形例では、電球と電球との間に相当する箇所に上記発明の実施の形態と同様にミシン目を設けている関係上、管球用窓部毎にフィルムを貼付しているが、ミシン目を設けない場合には、複数の管球用窓部に対して一枚のフィルムを貼付することで工数を削減することも可能となる。
（その他の事項）
上記発明の実施の形態や変形例１〜３などは、本発明の特徴を説明するために一例として示したものであって、これらの構造、寸法、材料などに本発明が限定されるものでないことは明らかである。例えば、上記ランプ収納容器１０などを構成するシート材として板紙１００を用いたが、片ダンボールあるいは樹脂フィルム（例えば、ポリスチレンなど）などを用いることもできる。この内、片ダンボールを用いる場合には、材料費という点から、上記のように板紙１００を用いる場合よりも若干コストアップは避けられないが、片ダンボールは板紙１００に比べて良好なクッション性を有するので、収納する電球を衝撃から保護するという点で優れる。
【００５５】
また、樹脂フィルムを用いる場合には、透明なランプ収納容器を形成することが可能となるので、収納されたランプ全体を外から見ることが可能となり、ディスプレイ性という点で板紙１００あるいは片ダンボールなどを用いる場合よりも優れる。
また、管球用窓部については、電球１個に対して１つに限定されるものではなく、例えば、小さな窓を数多く設けてもよい。
【００５６】
【発明の効果】
以上説明したように、本発明のランプ収納容器は、シート材をランプの周りに被着されて構成されており、管球における一部領域が、管球用窓部を臨むシート材の内周面側の縁端よりも外方に突出されているので、別部材を用いなくても、管球用窓部を望むシート材の内周面側の縁端によってランプが確実に保持される。
【００５７】
また、上記ランプ収納容器は、シート材をランプ周りに被着するだけで形成されるので、従来の収納容器のようにランプを収納する前に予め組み立てを必要としない。
さらに、このランプ収納容器では、一部領域が、管球用窓部を臨むシート材の内周面側の縁端よりも突出されることで外部に露出されているので、販売のための展示などを行なう際に収納されたランプの品種を識別するのが容易であり、優れたディスプレイ効果を奏することができる。
【００５８】
従って、本発明のランプ収納容器は、製造コストの低減が図れるとともに、ランプの確実な保持、および優れたディスプレイ効果を奏することができるという優位性を有する。
【図面の簡単な説明】
【図１】実施の形態に係るランプ収納容器１０の斜視図である。
【図２】図１のランプ収納容器１０を構成する板紙１００の展開斜視図である。
【図３】図２の板紙１００への電球２１、２２の収納方法を示す斜視図である。
【図４】電球２１の口金部２１ａを板紙１００の窓部１１１に挿入したところを示す詳細図である。
【図５】ランプ収納容器１０を複数収納するための搬送ケース４０を示す一部斜視図である。
【図６】搬送ケース４０内における容器１０と容器３０との配置関係を示す断面図である。
【図７】落下衝撃試験の方法を示す概略図である。
【図８】変形例１に係る板紙１５０を示す展開斜視図である。
【図９】変形例２に係るランプ収納容器５０、５５を示す正面図および斜視図である。
【図１０】変形例３に係るランプ収納容器５７を示す断面図および正面図である。
【図１１】電球を収納するために従来から一般に用いられている箱を示す斜視図である。
【符号の説明】
１０、３０．ランプ収納容器
１２．重なり代
２１、２２、２３．電球
２１ｂ、２２ｂ．突出領域
４０．搬送ケース
４２．棚板
５７ｆ．フィルム
１００、１５０．板紙
１１１、１１２．口金用窓部
１２１、１２２．管球用窓部
１４１、１４４．折り返し部
１４２．フック用窓部
１４３．ミシン目
【図１】
2004175411.tif 000004
【図２】
2004175411.tif 000005
【図３】
2004175411.tif 000006
【図４】
2004175411.tif 000007
【図５】
2004175411.tif 000008
【図６】
2004175411.tif 000009
【図７】
2004175411.tif 000010
【図８】
2004175411.tif 000011
【図９】
2004175411.tif 000012
【図１０】
2004175411.tif 000013
【図１１】
2004175411.tif 000014